(57)【要約】    【課題】ロール紙の引き出し部分をプラテン上に搬送するとき、ロール紙に不均一のテンションがかかるのを防止し、ロール紙の搬送がスムーズに行われるようにする。    【解決手段】機体の一方側にロール紙支持機構２４を設け、該ロール紙支持機構２４によってロール紙３６のロール部の両端を支承し、該ロール部から引き出した用紙を用紙搬送機構によってプラテン１６上に搬送し、該プラテン１６上で用紙に印字ヘッド１２により印字作画する。ロール紙支持機構２４によって両端が支持されたロール紙３６のロール部の中間部は、ロール部支持手段の支持面６８ａにより支持される。支持面６８ａはロール部を圧接する方向に変位自在となるように支承され、ロール部の径の変位に追随してロール部に圧接してロール部の中間部の撓みを防止する。【選択図】図１
2006232549.tif 000002
【特許請求の範囲】
【請求項１】
機体の一方側にロール紙支持機構を設け、該ロール紙支持機構によってロール紙のロール部の両端を支承し、該ロール部から引き出した用紙を用紙搬送機構によってプラテン上に搬送し、該プラテン上で用紙に印字作画するようにした記録装置において、前記ロール紙支持機構によって両端が支持された前記ロール紙のロール部の中間部を支持する位置に配置された１つ以上のロール部支持手段と、該ロール部支持手段が前記ロール部の径の変位に追随して変位するように該ロール部支持手段を支承する昇降支持手段と、前記ロール部支持手段が前記ロール部の中間部を持ち上げる方向に加圧するように前記昇降支持手段に付勢力を付与する付勢手段とを備えたロール紙支持補助装置を設けたことを特徴とする記録装置。
【請求項２】
前記ロール紙支持補助装置を前記記録装置の機体側の支持具に対して脱着可能としたことを特徴とする請求項１に記載の記録装置。
【請求項３】
前記ロール部支持手段を、前記ロール紙の回転と連動してつれ回りするように回転自在としたことを特徴とする請求項１に記載の記録装置。
【請求項４】
前記ロール部支持手段を、機体側の支持具に取り付けられたたベースに回転自在に支持された中間ベルトローラと、該中間ベルトローラの前後に配置された一対のベルトローラと、前記中間ベルトローラとその前後のベルトローラに略三角形を形成するように掛け渡され、その一辺が前記ロール紙のロール部の中間部を支持するロール紙支持面を形成する無端ベルトとで構成し、前記昇降支持手段を前記ベースに昇降自在に支承され前記一対のベルトローラを回転自在に支承する昇降体により構成し、前記付勢手段を、前記ベースを支点として前記昇降体を上方向に付勢するばねにより構成したことを特徴とする請求項１に記載の記録装置。
【請求項５】
前記ベースの底部に高さ調整機構を設け、前記無端ベルトのロール紙支持面の、前記機体側の支持具に対する高さ及び傾きを調整可能としたことを特徴とする請求項４に記載のロール紙支持補助装置。
【請求項６】
前記中間ベルトローラとその前後の一対のベルトローラとを回転自在としたことを特徴とする請求項４に記載の記録装置。
【請求項７】
記録装置のロール紙支持機構に支持されたロール紙の中間部を支持するためのロール紙支持補助装置であって、ベースと、該ベースに回転自在に支持された中間ベルトローラと、前記ベースに昇降ガイド機構を介して昇降自在に支持された昇降体と、前記中間ベルトローラの前後に位置して前記昇降体に互いに平行に支持された一対のベルトローラと、前記中間ベルトローラとその前後のベルトローラに略三角形を形成するように掛け渡され、その一辺がロール紙のロール部の中間部を支持するためのロール紙支持面を形成する無端ベルトと、前記ベースを支点として前記昇降体を上方に付勢する付勢手段とを備えたことを特徴とするロール紙支持補助装置。
【請求項８】
前記昇降体は、前記中間ベルトローラの軸方向の一端側に配置された第１の昇降体と、前記中間ベルトローラの軸方向の他端側に配置された第２の昇降体とから成り、前記第１と第２の昇降体は、それぞれ前記中間ベルトローラの軸方向に対して直角に延びる支持部を有し、各支持部の長手方向の一方間と他方間に前記一対のベルトローラの両端を支持し、前記第１と第２の昇降体のそれぞれが昇降ガイド機構を介して前記ベースに昇降自在に支持されていることを特徴とする請求項７に記載のロール紙支持補助装置。
【請求項９】
前記中間ベルトローラとその前後の一対のベルトローラとを回転自在としたことを特徴とする請求項７又は請求項８に記載のロール紙支持補助装置。
【請求項１０】
前記ベースの底部に高さ調整機構を設け、前記無端ベルトのロール紙支持面の、床面に対する高さ及び傾きを調整可能としたことを特徴とする請求項７乃至請求項９の中のいずれか１つの請求項に記載のロール紙支持補助装置。
【発明の詳細な説明】
【技術分野】
【０００１】
本発明は、ロール紙を備えた記録装置に用いられるロール紙支持補助装置及び該ロール紙支持補助装置を用いた記録装置に関する。
【背景技術】
【０００２】
機体の正面下部にロール紙を支承し、該ロール紙を脚台上に支持されたプラテンに導き、プラテン上で用紙に印字機構により印字作画するようにしたプリンタにおいては、通常、ロール紙はその長手方向の両端部が支持されている（例えば特許文献１，２参照）。
【特許文献１】特開２００１−１５８５５８号公報
【特許文献２】特開２０００−７２２８７号公報
【発明の開示】
【発明が解決しようとする課題】
【０００３】
大きなロール紙幅対応のプリンタにおいては、用紙の幅が長くなり、ロール紙の重量も大きく、そのためロール紙の両端のみを支持した構成では、ロール紙のロール部の長手方向の中間部において、ロール紙が撓んでしまう。この撓みはロール紙の引き出し部をプラテン上に搬送する際に、用紙の幅方向の場所ごとの微妙なテンションの違いになり、用紙のスムーズな搬送に悪影響を与え作画品質の劣化の原因となる。従来の記録装置では、ロール紙の真ん中の部分においては全くサポートするものはなく、またロール紙の両端を軸支する構成では、その軸自体にも大きな力が加わるため、ロール紙の用紙幅が大きくなればなるほど強固にしておく必要がある。
本発明は上記問題点を解決することを目的とするものである。
【課題を解決するための手段】
【０００４】
上記目的を達成するため本発明は、機体の一方側にロール紙支持機構を設け、該ロール紙支持機構によってロール紙のロール部の両端を支承し、該ロール部から引き出した用紙を用紙搬送機構によってプラテン上に搬送し、該プラテン上で用紙に印字作画するようにした記録装置において、前記ロール紙支持機構によって両端が支持された前記ロール紙のロール部の中間部を支持する位置に配置された１つ以上のロール部支持手段と、該ロール部支持手段が前記ロール部の径の変位に追随して変位するように該ロール部支持手段を支承する昇降支持手段と、前記ロール部支持手段が前記ロール部の中間部を持ち上げる方向に加圧するように前記昇降支持手段に付勢力を付与する付勢手段とを備えたロール紙支持補助装置を設けたものである。
また本発明は、前記ロール紙支持補助装置を前記記録装置の機体側の支持具に対して脱着可能としたものである。
また本発明は、前記ロール部支持手段を、前記ロール紙の回転と連動してつれ回りするように回転自在としたものである。
また本発明は、前記ロール部支持手段を、機体側の支持具に取り付けられたたベースに回転自在に支持された中間ベルトローラと、該中間ベルトローラの前後に配置された一対のベルトローラと、前記中間ベルトローラとその前後のベルトローラに略三角形を形成するように掛け渡され、その一辺が前記ロール紙のロール部の中間部を支持するロール紙支持面を形成する無端ベルトとで構成し、前記昇降支持手段を前記ベースに昇降自在に支承され前記一対のベルトローラを回転自在に支承する昇降体により構成し、前記付勢手段を、前記ベースを支点として前記昇降体を上方向に付勢するばねにより構成したものである。
また本発明は、記録装置のロール紙支持機構に支持されたロール紙の中間部を支持するためのロール紙支持補助装置であって、ベースと、該ベースに回転自在に支持された中間ベルトローラと、前記ベースに昇降ガイド機構を介して昇降自在に支持された昇降体と、前記中間ベルトローラの前後に位置して前記昇降体に互いに平行に支持された一対のベルトローラと、前記中間ベルトローラとその前後のベルトローラに略三角形を形成するように掛け渡され、その一辺がロール紙のロール部の中間部を支持するためのロール紙支持面を形成する無端ベルトと、前記ベースを支点として前記昇降体を上方に付勢する付勢手段とを備えたものである。
また本発明は、前記昇降体は、前記中間ベルトローラの軸方向の一端側に配置された第１の昇降体と、前記中間ベルトローラの軸方向の他端側に配置された第２の昇降体とから成り、前記第１と第２の昇降体は、それぞれ前記中間ベルトローラの軸方向に対して直角に延びる支持部を有し、各支持部の長手方向の一方間と他方間に前記一対のベルトローラの両端を支持し、前記第１と第２の昇降体のそれぞれが昇降ガイド機構を介して前記ベースに昇降自在に支持されていることを特徴とする。
また本発明は、前記中間ベルトローラとその前後の一対のベルトローラとを回転自在としたことを特徴とする。
また本発明は、前記ベースの底部に高さ調整機構を設け、前記無端ベルトのロール紙支持面の、床面に対する高さ及び傾きを調整可能としたものである。
【発明の効果】
【０００５】
本発明は、ロール紙の両端の支持に加えて、中間部をも支持するようにしたので、ロール紙の撓みを補正することができる。そのため、用紙供給時におけるロール紙の撓みによる不均一な負荷のかかり方を解消でき良好な用紙搬送を実現できる。
【発明を実施するための最良の形態】
【０００６】
以下に本発明の構成を添付した図面を参照して詳細に説明する。
図１において、符号２は、大きな用紙に印字する大型のインクジェット型プリンタの機体を示し、キャスター３を介して床面上に載置された基台４，４上に、脚台６，６が立設され、脚台６，６の上部には、架台８が架設されている。脚台６，６間に架設されたＹ軸レール１０（図３参照）には、キャリッジを介してインクジェット型印字ヘッド１２が走行自在に取り付けられている。
【０００７】
前記Ｙ軸レール１０には、支持アームを介して加圧ローラ１４が昇降可能に取り付けられ、該加圧ローラ１４とプラテン１６に形成されたスリットに配置された駆動ローラ１５とで、プラテン１６上の用紙を挟持し、駆動ローラ１５の回転によって、プラテン１６上の用紙を図３中、右方向（Ｘ軸方向）に搬送可能な構成となっている。前記加圧ローラ１４と駆動ローラは、用紙搬送機構を構成している。加圧ローラ１４を挟んで用紙搬送経路の上流側には、ガイドローラ１８と、テンションローラ２０が配置され、該テンションローラ２０によって、加圧ローラ１４の上流側のロール紙の引き出し部分にテンションが付与されるように構成されている。
【０００８】
また、用紙搬送経路の下流側には、テンションローラ２２が配置され、これにより、下流側のロール紙の引き出し部分にテンションが付与されるように構成されている。プリンタの機体２の背面側にはロール紙支持機構２４が設けられている。ロール紙支持機構２４は、左右の基台４，４間に架設されたレール２８，２８と、これにスライド自在に取り付けられた台３０，３０と、該台３０，３０にそれぞれ立設されたロール紙保持体３２，３２とから構成されている。前記レール２８，２８は支持具を構成している。
【０００９】
前記台３０，３０には固定用レバー３４が設けられ。該レバー３４を操作することで、台３０，３０をレール２８，２８上の任意の位置に脱着可能に固定できるように構成されている。前記ロール紙保持台３２，３２には、ロール紙３６の芯体３４ａに嵌合し、該芯体３４ａの端部を介して、ロール紙の端部を保持する保持部３８が回転可能に設けられ、該保持部３８，３８の両方又は該保持部３８，３８の中の一方は、ロール紙保持体３２，３２の両方又は一方に内蔵された用紙供給用の駆動モータ（図示省略）に、歯車減速機構（図示省略）を介して、連係している。
【００１０】
これにより、前記保持部３８，３８間に挟持されたロール紙３６のフリー回転が阻止されている。プリンタ正面側のロール紙巻き取り機構２６も、前記ロール紙支持機構２４と同様の構成を有し、基台４，４間に架設されたレール４０，４０と、これにスライド自在に取り付けられた一対の台４２（他方の台は図示省略））と、該台４２にそれぞれ立設されたロール紙保持体４４と、用紙巻き取り用の駆動モータに連係する保持部とから構成されている。前記レール２８，２８と４０は、これらにかかる下向きの荷重により、中間部が撓むことがないように、高さ調整可能な支持具４７が取り付けられ、該支持具４７が床面を支点としてレール２８，４０の中間部を支持している。
【００１１】
上記した構成において、ロール紙３６をプリンタにセットするには、加圧ローラ１４を上昇させておき、図１に示すように、ロール紙支持機構２４の台３０，３０のレバー３４を緩めて、台３０，３０をフリーの状態とし、この台３０と台３０との間に、未使用のロール紙３６を配置する。しかる後に、台３０，３０を接近方向に移動させ、ロール紙保持体３２の保持部３８を、ロール紙３６の芯体３６ａの両端開口部に圧入し、レバー３４，３４を操作して、台３０，３０をレール２８，２８に固定する。
【００１２】
これにより、ロール紙３６の両端は、ロール紙保持体３２，３２間に保持される。次にロール紙３６の引き出し部分３６ｂをガイドローラ１８とテンションローラ２０にジグザグ状に掛け渡し、更に、プラテン１６上に導き、更に、テンションローラ２２を経て、その先端をロール紙巻き取り機構２６のロール紙保持体４４間に支持されている芯体４５に係止する。次に加圧ローラ１４を下降し、加圧ローラ１４と駆動ローラとでプラテン１６上のロール紙の引き出し部分３６ｂを挟持する。以上でプラテンに対するロール紙３６のセットが完了する。
【００１３】
プリンタの印字動作がスタートすると、コントローラの制御により、印字ヘッド１２は、Ｙ軸レール１０に沿って往復方向に駆動される。一方、プラテン１６上の用紙は、駆動ローラの間欠回転により、プラテン１６上をＸ軸方向に間欠的に搬送され、印字ヘッド１２から吐出されるインク滴により、ロール紙３６の引き出し部分３６ｂに印字作画が行われる。ロール紙の、駆動ローラによる、Ｘ軸方向の搬送に伴い、ロール紙供給側のロール紙引き出し部分３６ｂの引き出し長さが短くなり、用紙供給の余裕がなくなると、コントローラは、この状態をテンションローラ２０の変位で検出し、モータによって、ロール紙保持体３２の保持部３８を回転し、ロール部を繰り出し方向に回転し、所定量ロール紙３６を供給方向に繰り出す。
【００１４】
一方、ロール紙巻き取り側の用紙排出量が所定量を超えると、コントローラは、この状態をテンションローラ２２の変位で検出し、コントローラの制御により、ロール紙巻き取り機構２６の保持部が巻き取り用のモータにより、巻き取り方向に駆動され、排出側のロール紙３６の引き出し部分を所定量芯体４５に巻き取る。作画中、ロール紙３６の引き出し部分の供給側と排出側はテンションローラ２０，２２により所定のテンションが付与された状態を維持する。
【００１５】
次に、本発明の要部の機構であるロール紙支持補助装置７４について説明する。
図５において、４６は、レール２８，２８の略中間部に、当接板を介して、移動調整可能に且つ脱着可能に取り付けられたベースであり、これのＹ軸方向に沿った、図１中、左右両端に、取り付け板（図示省略）が固定され、この取り付け板間に、中間ベルトローラ４８が回転自在に支持されている。前記ベース４６の四隅には、ブラケットを介してガイド５０が固設され、各ガイド５０には、それぞれ同一垂直線上に所定間隔を存して配置された一対の軸受５２ａ，５２ｂが固定されている。
【００１６】
前記各ガイド５０には、それぞればね受け材５４が固設され、該各ばね受け材５４に、軸方向の圧縮力に対して弾発力が作用するようにしたコイルばね５６が垂直に支持されている。図５中、５８は、一対の枠状部材からなる昇降体であり、それぞれの左右に角筒状の軸カバー６０が固定されている。前記軸カバー６０には、軸体６２が遊嵌配置され、各軸体６２の上端は、対応する軸カバー６０の上壁に固定されている。前記４本の軸体６２は、ベース４６側の対応する軸受５２ａ，５２ｂにスライド自在に配置されている。前記４本の軸体６２が、ベース４６側の対応する軸受５２ａ，５２ｂに挿入された状態において、図５中、左右の軸カバー６０，６０間に形成された板部材からなるばね受け面５８ａが前記コイルばね５６の上端に弾接するように構成されている。
【００１７】
このコイルばね５６の弾発力は、未使用のロール紙３６の重量を支えるのに充分な大きさに設定されている。図５中、一対の昇降体５８，５８の中、一方の昇降体５８の左右に位置する一対の軸カバー６０，６０間には、前方ベルトローラ６４が回転自在に支持され、他の昇降体５８の一対の軸カバー６０，６０間には、図３に示すように、後方ベルトローラ６６が回転自在に支持されている。
【００１８】
前記中間ベルトローラ４８と前後のベルトローラ６４，６６間には、所定の幅の無端ベルト６８が図６に示すように三角形を形成するように掛け渡され、該三角形の一辺がロール紙３６のロール部の中間部を支持するロール紙支持面６８ａを形成している。前記ベルト６８の裏面の中央には、図５に示すように、長手方向に沿って、ずれ防止用の凸条７０が形成され、該凸条７０は、各ベルトローラ４８，６４，６６の円周面に形成された凹溝７２に嵌合している。上記ロール紙支持補助装置７４は、ベース４６をレール２８，２８から取り外すことにより、記録装置２の機体から取り外すことが可能である。また、ロール紙支持補助装置７４は、図２に示すように、レール２８，２８に複数個設けても良い。
【００１９】
上記した構成において、ロール紙３６をロール紙支持機構２４にセットするときは、まず、ロール紙３６の中間部を図６に示すように、ベルト６８上に持ち来たし、ロール紙３６の中間部をベルト６８の一辺に載せた状態で、ロール紙３６の芯体３６ａの両端を保持部３８，３８間に保持させる。ロール紙３６のロール部の両端を保持部３８，３８間に保持した状態において、ベルト６８の一辺（ロール紙支持面６８ａ）はロール紙３６のロール部の重量によって、コイルばね５６の弾発力に抗して、図７に示すように、若干湾曲し、ロール部の中間部は、ベルト６８の一辺のテンションによって支持され、該テンションによって、ロール紙３６のロール部の中間部の自重による撓みが真直方向に矯正される。
【００２０】
作図が行われ、ロール紙３６が、保持部３８の回転によって、用紙繰り出し方向に回転すると、ベルト６８は、ロール紙３６表面との摩擦力により、ロール紙３６と連動してつれ回りする。作画に伴い、ロール紙３６のロール部の径が小さくなり、ロール部の重量が軽くなっても、図８に示すように、軸カバー６０は、ロール部の径の変化に応じてコイルばね５６の弾発力により上昇し、ベルト６８の一辺は、ロール紙３６のロール部の中間部に対する圧接状態を保持し、その撓みを補正する方向にロール部を保持する。尚、ロール紙３６の上昇によりコイルばね５６による力も弱くなるので、ロール紙３６の径が小さくなり重量が軽くなることにも追従できる。
【００２１】
次に、図９及び図１０を参照してベースの底部に高さ調整機構を設けた実施形態について説明する。
図中、７６はベース４６の底部の四隅に設けられたナットであり、これにそれぞれボルト７８が、その長手方向を床面に対して垂直な方向に向けて、螺合している。前記ボルト７８の頭部７８ａは、当接板を構成し、該当接板は、レール２８，２８の上面に載置される構成となっている。
【００２２】
ベース４６の底部から下方に延長された左右の側壁部の内側面には、複数の当接板８０が取り付けられ、該当接板８０の側面が、レール２８，２８の外側面に左右から当接している。これにより、前記ベース４６がレール２８，２８に、これに対して図９中、左右にずれないように脱着可能に取り付けられている。前記ナット７６とボルト７８は高さ調整機構を構成し、所要のボルト７８を回転させ、ボルト７８の頭部７８ａの、ベース４６底面に対する突出量を調節することで、図１０に示すように、無端ベルト６８のロール紙支持面６８ａの高さを、ロールを支持するのに最適な状態に調整することができる。
【００２３】
また、ベース４６底部の四隅のボルト７８を適宜調節することで、ロール紙支持面６８ａの、ロール紙３６との平行度即ちロール紙支持面６８ａの床面に対する傾きを調整することができる。これにより、ロール紙支持面６８ａの全域を均等の圧力でロール紙３６の中間部に接触させることができ、無端ベルト６８に偏荷重がかかるのを防止することができ、無端ベルト６８をロール紙３６と連動してスムーズにつれ回りさせることができる。
【００２４】
次にロール紙支持補助装置の他の実施形態について図１１乃至図１４を参照して説明する。
図１１は、無端ベルトを省略したロール紙支持補助装置を示している。８０はベースであり、記録装置のロール紙支持機構側に設けられたレール２８，２８の略中間部に、該ベース８０の底部を、該底部の、レール２８，２８に嵌合する構造によって、レール２８，２８の長手方向に沿って、移動調整可能に且つ脱着可能に取り付けることができるように構成されている。
【００２５】
前記ベース８０の両側８０ａ，８０ｂ間には、中間ベルトローラ８２の両端が回転自在に支持されている。また、ベース８０の両側部８０ａ，８０ｂには、それぞれ前方と後方に断面コ字状のガイド面８４と８６が形成され、ベース８０の両側部８０ａ，８０ｂのガイド面８４と８６には、それぞれ昇降体８８，９０が昇降自在に嵌合配置されている。前記昇降体８８，９０は、それぞれ、前記中間ベルトローラ８２の軸方向に対して直角方向に延びる支持部８８ａ，９０ａを有している。
【００２６】
該支持部８８ａ，９０ａの前方部間には、前方ベルトローラ９２の両端軸部が、前記中間ベルトローラ８２の前方且つ上方に位置し、該中間ベルトローラ８２に対して平行に、回転自在に支持され、支持部８８ａ，９０ａの後方部間には、前記中間ベルトローラ８２の後方且つ上方に位置し、該中間ベルトローラ８２に対して平行に、後方ベルトローラ９４の両端軸部が回転自在に支持されている。前記ベルトローラ９２，９４は、互いに同一高さに設定され、所定の間隔を存して平行に対向配置されている。
【００２７】
前記ベース８０の両側部８０ａ，８０ｂのそれぞれの前後の底部には、図１２に示すように、昇降体８８，９０を上下方向に案内するための軸体９６が立設され、各軸体９６は、それぞれ対応するベルトローラ９２，９４の両端軸部の下方に配置されている。前記昇降体８８，９０の各支持部８８ａ，９０ａの側壁内側面の所定位置には、図１２に示すように、穴付きの取り付け板９８が固設され、この取り付け板９８の穴に、対応する前記軸体９６が遊嵌している。また、前記取り付け板９８には、前記軸体９６にスライド自在に嵌挿する軸受け部材であるガイド板１００が固定されている。
【００２８】
前記各軸体９６には、コイルスプリング１０２が嵌挿配置され、該コイルスプリング１０２の上端が前記取り付け板９８の下面に当接している。前記各軸体９６の上端の中央にはねじが突設され、該ねじに係止盤１０４の穴が嵌挿している。前記係止盤１０４は、軸体９６の上端のねじに螺合するナット１０５により、軸体９６の上端に係止され、該係止盤１０４の下面は、前記ガイド板１００の上面に当接している。前記コイルスプリング１０２は、昇降体８８，９０を上方向に付勢する付勢手段を構成し、前記軸体９６とガイド板１００は、前記ベース８０に対して昇降体８８，９０を昇降方向に案内する昇降ガイド機構を構成している。
【００２９】
前記中間ベルトローラ８２とその前後のベルトローラ９２，９４間には、図１３と図１４に示すように、所定の幅の無端ベルト１０８が三角形を形成するように掛け渡され、該三角形の一辺がロール紙３６のロール部の中間部を支持するロール紙支持面１０８ａを形成している。前記中間ベルトローラ８２の軸方向の両端には、図１３に示すように、ベルトローラ８２のローラ部よりも大径な鍔部１１０が形成され、該鍔部１１０によって、前記無端ベルト１０８の、回転時における、ベルトローラ８２，９２，９４の軸方向に沿ったずれを防止している。
【００３０】
前記ロール紙支持面１０８ａにロール紙３６の重量がかからない無負荷の状態では、、前記昇降体８８は、コイルスプリング１０２の弾発力により、ベース８０に対して、所定の上昇位置に保持され、該上昇位置において、ガイド板１００は係止盤１０４の下面に弾接し、これに係止されている。
上記した構成において、ベース８０の底部は、記録装置側のレール２８，２８の所定の位置に、当接板を介して、嵌合配置される。
【００３１】
尚、ベース８０の重量を受けてレール２８，２８の上面に圧着する当接板を、図９に示すように、ベース側のナットに螺合するボルト７８の構成とし、ベース８０の高さをレール２８，２８に対して調整可能としても良い。ベース８０は、記録装置のレール２８，２８に取り付ける構成以外に、床面上に直接載置する構成としても良い。この場合、ベース８０の四隅の底面にベース８０側のナットに螺合するボルト１１６などからなる高さ調整機構を設け、無端ベルト１０８のロール紙支持面１０８ａの高さ及びロール紙３６に対する水平度（平行度）等を調節することができるようにする。
【００３２】
記録装置のロール紙支持機構２４にロール紙３６がセットされると、ロール紙３６の中間部が無端ベルト１０８の一辺１０８ａに載置される。このとき、ロール紙３６の重量によって、無端ベルト１０８の一辺（支持面１０８ａ）は、若干わん曲するとともに、ロール紙３６の重量によって、昇降体８８，９０がコイルスプリング１０２の弾発力に抗して、軸体９６に案内されて下降する。コイルスプリング１０２の弾発力とロール紙３６の重量とが釣り合ったところで、昇降体８８，９０は下降を停止し、ロール紙３６の中間部は、無端ベルト１０８の一辺１０８ａのテンションによって支持され、該テンションによって、ロール紙３６のロール部の中間部の自重による撓みが真直方向に矯正される。
【００３３】
作図が行われ、ロール紙３６が、保持部３８の回転によって、用紙繰り出し方向に回転すると、ベルト１０８は、ロール紙３６表面との摩擦力により、ロール紙３６と連動してつれ回りする。作画に伴い、ロール紙３６のロール部の径が小さくなり、ロール部の重量が軽くなっても、昇降体８８，９０は、ロール部の径の変化に応じてコイルスプリング１０２の弾発力により上昇し、ベルト１０８の一辺１０８ａは、ロール紙３６のロール部の中間部に対する圧接状態を保持し、その撓みを補正する方向にロール部を保持する。尚、ロール紙３６の上昇によりコイルスプリング１０２による力も弱くなるので、ロール紙３６の径が小さくなり重量が軽くなることにも追従できる。
【００３４】
本実施形態の動作の特徴は、昇降体８８，９０の、ロール紙３６のロール部の径の減少に応じた上昇動作が円滑に行われることである。
即ち、無端ベルト１０８のロール紙支持面１０８ａにロール紙３６が載ると、その重さで、無端ベルト１０８のロール紙支持面１０８が沈み、ベルト１０８のテンションが増大する。このベルトのテンションにより、対向するベルトローラ９２，９４間に、互いに接近する方向に荷重がかかる。この荷重が軸体９６とガイド板１００との間の軸受け部にかかると、この軸受け部にこじれが生じて昇降体８８，９０の軸体９６に沿った動きが重くなってしまう。
【００３５】
しかるに、本実施形態では、対向するベルトローラ９２，９４は、各昇降体８８，９０の、ベルトローラ９２，９４の長手方向に対して直角な方向に延びる、支持部８８ａ，９０ａにより支持されているので、ベルトローラ９２，９４間の互いに接近する方向の荷重は、昇降体８８，９０によって支持され、この荷重が、軸体９６側に作用することがない。そのため、ベルトローラ９２，９４間の、ベルト１０８のテンションによる、互いに近づく方向に作用する荷重によって、昇降体８８，９０は、軸体９６を支点として傾く方向に荷重を受けることがなく、軸体９６とガイド板１００間にこじれ力が生じない。
【００３６】
また、昇降体８８，９０と軸体９６との間の軸受け部は、１枚のガイド板１００により軸体９６ごとに１箇所に構成したので、昇降体８８，９０の昇降方向の運動に対する規制力が少なくなり、これによっても、軸体９６に対する、ガイド板１００を介した昇降体８８，９０の昇降方向のスライド運動がスムーズに行われる。
【００３７】
本装置は、ロール紙の初期重量に応じて、適切な弾発特性のコイルスプリングを選択し、軸体９６に挿入配置している。異なった初期重量のロール紙を支持の対象とする場合には、このロール紙に合った弾発特性のスプリングに変換し、或いはこのスプリングに対してばね荷重を変更する機構を設けて対応するようにしても良い。
【図面の簡単な説明】
【００３８】
【図１】本発明に係る記録装置の背面図である。
【図２】本発明の他の実施形態を示す記録装置の背面図である。
【図３】記録装置の側面図である。
【図４】記録装置の側面図である。
【図５】ロール紙支持補助装置の分解説明図である。
【図６】本発明の説明図である。
【図７】本発明の説明図である。
【図８】本発明の説明図である。
【図９】本発明の説明図である。
【図１０】本発明の説明図である。
【図１１】ロール紙支持補助装置の他の実施形態を示す、外観図である。
【図１２】同、外観図である。
【図１３】同、底部の外観図である。
【図１４】同、外観図である。
【符号の説明】
【００３９】
２      機体
４      基台
６      脚台
８      架台
１０    Ｙ軸レール
１２    印字ヘッド
１４    加圧ローラ
１５    駆動ローラ
１６    プラテン
１８    ガイドローラ
２０    テンションローラ
２２    テンションローラ
２４    ロール紙支持機構
２６    ロール紙巻き取り機構
２８    レール
３０    台
３２    ロール紙保持体
３４    固定用レバー
３６    ロール紙
３８    保持部
４０    レール
４２    台
４４    ロール紙保持体
４６    ベース
４７    支持具
４８    中間ベルトローラ
５０    ガイド
５２ａ  軸受
５２ｂ  軸受
５４    ばね受け材
５６    コイルばね
５８    昇降体
６０    軸カバー
６２    軸体
６４    前方ベルトローラ
６６    後方ベルトローラ
６８    無端ベルト
７０    凸条
７２    凹溝
７４    ロール紙支持補助装置
７６    ナット
７８    ボルト
８０    ベース
８２    中間ベルトローラ
８４    ガイド面
８６    ガイド面
８８    昇降体
８８ａ  支持部
９０    昇降体
９０ａ  支持部
９２    前方ベルトローラ
９４    後方ベルトローラ
９６    軸体
９８    取り付け板
１００  ガイド板
１０２  コイルスプリング
１０４  係止盤
１０６  ナット
１０８  無端ベルト
１０８ａ  ロール紙支持面
１１０    鍔部
１１６    ボルト
【図１】
2006232549.tif 000003
【図２】
2006232549.tif 000004
【図３】
2006232549.tif 000005
【図４】
2006232549.tif 000006
【図５】
2006232549.tif 000007
【図６】
2006232549.tif 000008
【図７】
2006232549.tif 000009
【図８】
2006232549.tif 000010
【図９】
2006232549.tif 000011
【図１０】
2006232549.tif 000012
【図１１】
2006232549.tif 000013
【図１２】
2006232549.tif 000014
【図１３】
2006232549.tif 000015
【図１４】
2006232549.tif 000016